(57)【要約】【課題】周辺セルのセル品質を漏れなく記録するとともに、記録する情報量を低減する無線通信端末装置及び無線品質記録方法を提供する。【解決手段】測定部１０２は、端末１００が現在在圏しているセルのセル品質及び周辺セルのセル品質を測定し、測定結果がセル品質格納部１０５に格納される。ロギング制御部１０４は、端末１００が待ち受け状態にある場合は、タイマー１０８の入力に基づいて、ロギング周期ごとに、セル品質格納部１０５に格納された在圏セル品質及び周辺セル品質を選択的にログメモリ１０９に記録させる。このとき、周辺セルのセル品質については、前回のロギングから新たに測定されたセル品質のみを記録させる。【選択図】図１
2012147170.tif 000002
【特許請求の範囲】
【請求項１】
在圏セルのセル品質及び周辺セルのセル品質を測定する測定手段と、
測定された前記在圏セルのセル品質及び前記周辺セルのセル品質を記録する記録手段と、
測定された前記在圏セルのセル品質を一定の記録周期で前記記録手段に記録させ、測定された前記周辺セルのセル品質のうち、直前の前記記録周期において測定された周辺セルのセル品質のみを前記記録手段に記録させる制御手段と、
を具備する無線通信端末装置。
【請求項２】
前記制御手段は、所定の閾値を超える周辺セルのセル品質のみを前記記録手段に記録させる請求項１に記載の無線通信端末装置。
【請求項３】
前記所定の閾値は、無線通信基地局装置から通知される請求項２に記載の無線通信端末装置。
【請求項４】
前記制御手段は、無線通信基地局装置から周辺セルのセル品質の記録要求を受信したときのＰＬＭＮ（Public Land Mobile Network）を記憶し、測定された前記周辺セルのセル品質のうち、記憶した前記ＰＬＭＮに所属すると判定されたキャリア上の周辺セルのセル品質のみを前記記録手段に記録させる請求項１に記載の無線通信端末装置。
【請求項５】
在圏セルのセル品質及び周辺セルのセル品質を測定する測定工程と、
測定された前記在圏セルのセル品質を一定の記録周期で記録するとともに、測定された前記周辺セルのセル品質のうち、直前の前記記録周期において測定された周辺セルのセル品質のみを記録する記録工程と、
を具備する無線品質記録方法。
【発明の詳細な説明】
【技術分野】
【０００１】
本発明は、セル品質を測定及び記録する無線通信端末装置及び無線品質記録方法に関する。
【背景技術】
【０００２】
セルラ無線システムにおいて新たに基地局を設置するためには、建物の影など局地的に基地局からの電波が届きにくいところ（いわゆるカバレッジホール）の調査や、近隣セルとの干渉状況の実地調査などが必須となる。また、基地局設置後もトラフィック状況などに応じて、運用パラメータを調整する必要がある。
【０００３】
これに対して、各地点でのセルの無線強度、信号対干渉比（以下、これらをまとめて「セル品質」という）、周辺セルとの隣接関係などの情報を、稼働中の端末に収集及び報告させることにより、運用パラメータを自律的に最適化する自律最適化ネットワーク（SON: Self Optimizing Network）が近年注目されている。
【０００４】
ＵＭＴＳ、ＬＴＥシステムの標準化を行う３ＧＰＰ（3rd Generation Partnership Project）においても、ＳＯＮを実現するためにいくつかの機能が標準化されている。その中でも、各地におけるセル品質を待ち受け中の端末に収集させるＭＤＴ（Minimization of Drive Test）機能は、カバレッジホール、セル間干渉等を効率的に検出する手法として、現在標準化が進められている。
【０００５】
在圏セルのセル品質が十分ではない場合、端末は基地局から送信された信号の受信を失敗する可能性がある。在圏セルのセル品質が十分なセルで待ち受けしていても、端末が移動した結果、在圏セルのセル品質が悪化する可能性がある。このため、待ち受け中の端末は、着信信号を受信する周期で自セル（在圏セル）のセル品質を測定するとともに、自セルのセル品質が一定以下の場合、在圏セルから報知される周辺キャリア情報に基づいて、周辺セルのセル品質を測定する。また、自セルのセル品質が一定以上の場合も、一部のキャリアに関しては数分に１回といった長い周期で周辺セルのセル品質を測定する。端末はこれらセル品質を保持しておき、在圏セルから報知される最低セル品質（例えば、Srxlevmin, Squalminなどのパラメータ）を用いて最適在圏セルを判断する（Cell reselection）（例えば、非特許文献１及び非特許文献２参照）。
【０００６】
３ＧＰＰで標準化が進められているＭＤＴは、セル品質収集を指示された端末が、時刻情報、セルＩＤやＧＰＳ測位結果などの位置情報とともに、セルリセレクション（Cell reselection）判定に用いた在圏セル及び周辺セルのセル品質を一定周期で記録する（ロギング）ものである。収集した記録（ログ）は、端末が次回通信状態に遷移した際に、基地局からの要求に基づいて送信される。また、ＭＤＴにおいては、端末のメモリコストを抑えるべく、端末が記録するログのサイズに上限を設けることが想定されている。また、ＭＤＴは、セル品質収集要求を受けた際に在圏している事業者ネットワーク（PLMN: Public Land Mobile Network）上のセル品質を収集することを目的としている（例えば、非特許文献３参照）。
【先行技術文献】
【非特許文献】
【０００７】
【非特許文献１】3GPP TS 36.304 V9.4.0 (2010-10)
【非特許文献２】3GPP TS 25.304 V9.3.0 (2010-10)
【非特許文献３】3GPP TS 37.320 V1.0.0 (2010-9)
【発明の概要】
【発明が解決しようとする課題】
【０００８】
都市部など比較的小さなセルが多数配置される環境においては、端末は多数の周辺セルのセル品質を保持している可能性がある。すべての周辺セルのセル品質をログに記録するとより詳細な情報が得られる一方、一度に記録する情報量が多くなり、結果としてログを収集する期間が短くなってしまう。
【０００９】
本発明の目的は、周辺セルのセル品質を漏れなく記録するとともに、記録する情報量を低減する無線通信端末装置及び無線品質記録方法を提供することである。
【課題を解決するための手段】
【００１０】
本発明の無線通信端末装置は、在圏セルのセル品質及び周辺セルのセル品質を測定する測定手段と、測定された前記在圏セルのセル品質及び前記周辺セルのセル品質を記録する記録手段と、測定された前記在圏セルのセル品質を一定の記録周期で前記記録手段に記録させ、測定された前記周辺セルのセル品質のうち、直前の前記記録周期において測定された周辺セルのセル品質のみを前記記録手段に記録させる制御手段と、を具備する構成を採る。
【００１１】
本発明の無線品質記録方法は、在圏セルのセル品質及び周辺セルのセル品質を測定する測定工程と、測定された前記在圏セルのセル品質を一定の記録周期で記録するとともに、測定された前記周辺セルのセル品質のうち、直前の前記記録周期において測定された周辺セルのセル品質のみを記録する記録工程と、を具備するようにした。
【発明の効果】
【００１２】
本発明によれば、周辺セルのセル品質を漏れなく記録するとともに、記録するセル品質の情報量を低減することができる。
【図面の簡単な説明】
【００１３】
【図１】本発明の一実施の形態に係る無線通信端末装置の構成を示すブロック図
【図２】図１に示した端末によるセル品質測定動作及びロギング動作の一例について時間軸上で示す図
【発明を実施するための形態】
【００１４】
以下、本発明の実施の形態について、図面を参照して詳細に説明する。
【００１５】
（一実施の形態）
図１は、本発明の一実施の形態に係る無線通信端末装置（以下、「端末」という）１００の構成を示すブロック図である。以下、端末１００の構成について図１を用いて説明する。
【００１６】
測定部１０２は、端末１００が現在在圏しているセルのセル品質を測定し、そのセルが報知している周辺キャリアの情報に基づいて、周辺セルの無線品質を測定する。測定部１０２は、測定結果をロギング制御部１０４のセル品質格納部１０５に出力する。
【００１７】
送受信部１０３は、無線通信基地局装置（以下、「基地局」という）から送信された信号を受信し、受信した信号をロギング制御部１０４する。また、受信した信号に報知情報が含まれる場合には、送受信部１０３は、受信した報知情報をキャリア−ＰＬＭＮ関係格納部１１０に出力する。さらに、送受信部１０３は、ロギング制御部１０４から出力された情報をアンテナ１０１を介して基地局に送信する。
【００１８】
ロギング制御部１０４は、測定部１０２から入力された在圏セル品質と周辺セル品質を格納するセル品質格納部１０５と、セル品質が所定の閾値を超えるか否かを判定するセル品質判定部１０６と、周辺キャリアとして報知される各キャリアが、セル品質取得要求を受けた際のＰＬＭＮに所属するか否かを判定するキャリア判定部１０７とを備える。
【００１９】
ロギング制御部１０４は、端末１００が待ち受け状態にある場合は、タイマー１０８の入力に基づいて、ロギング周期ごとに、セル品質格納部１０５に格納された在圏セル品質及び周辺セル品質を選択的に記録手段としてのログメモリ１０９に記録させる。なお、周辺セルのセル品質を記録する具体的な条件については後述する。
【００２０】
また、ロギング制御部１０４は、端末１００が通信状態にある場合は、送受信部１０３を通じて基地局からのセル品質記録要求を受け付け、通信状態において基地局からログ取得要求を受けると、ログメモリ１０９に格納されたセル品質を、送受信部１０３を通じて基地局に送出する。
【００２１】
キャリア−ＰＬＭＮ関係格納部１１０は、送受信部１０３から出力された報知情報を取得し、報知情報に含まれる周辺キャリアとＰＬＭＮの対応関係を格納する。各キャリアとＰＬＭＮの対応関係は、例えば、ＵＭＴＳシステムのセルに在圏中であれば、ＳＩＢ（System Information Block）１８上で報知され、ＬＴＥシステムに在圏中であれば、在圏セルから報知されるセルのＰＬＭＮの情報から構築される。
【００２２】
次に、ロギング制御部１０４が周辺セルのセル品質をログメモリ１０９に記録させる条件（１）〜（３）について説明する。
【００２３】
条件（１）
ロギング周期においてセル品質格納部１０５に格納されたセル品質をログメモリ１０９に記録する際、前回ロギングを行って以来、新たに測定部１０２から出力された周辺セル品質のみを記録する。これにより、端末が測定した周辺セルを漏れなくログに記録しつつ、既に記録済みのセル品質をログに記録しないため、ログサイズを抑えることができる。
【００２４】
条件（２）
ロギング周期においてセル品質格納部１０５に格納されたセル品質をログメモリ１０９に記録する際、所定の閾値を上回るセル品質のみ記録する。これにより、セル品質が十分なセルのみをログに記録しつつ、セル品質が十分ではなく、在圏セルになり得ないセルについてはログに記録しないため、ログサイズを抑えることができる。なお、所定の閾値を基地局から取得してもよい。この場合、記録するセル品質の閾値をネットワーク側で制御することが可能となる。
【００２５】
条件（３）
ロギング周期においてセル品質格納部１０５に格納されたセル品質をログメモリ１０９に記録する際、キャリア判定部１０７で、セル品質記録要求を受けた際のＰＬＭＮに所属すると判断されるキャリア上のセル品質のみを記録する。これにより、セル品質記録要求を受けたＰＬＭＮが所有するキャリア上のセル品質を格納しないため、ログサイズを抑えることができる。
【００２６】
なお、条件（１）〜（３）は、それぞれ単独で用いてもよいし、任意の２つの条件を組み合わせて用いてもよい。また、３つの条件全てを組み合わせて用いてもよい。
【００２７】
図２は、図１に示した端末によるセル品質測定動作及びロギング動作の一例について時間軸上で示したものである。ただし、図２において、２０１は在圏セル品質測定周期を示す。以下、図２を用いて上記条件（１）について説明する。
【００２８】
ロギング動作２１１、ロギング動作２１４においては直前のロギング周期において周辺セル測定を行っていないため、ロギング制御部１０４は周辺セル品質をログメモリ１０９に記録させない。また、ロギング動作２１３では、直前のロギング周期において、周辺セル測定２１２でキャリア１上のセル品質を測定しているため、ロギング制御部１０４はキャリア１上のセル品質を周辺セル品質としてログメモリ１０９に記録させる。これにより、端末が測定した周辺セルを漏れなくログに記録しつつ、既に記録済みのセル品質をログに記録しないため、ログサイズを抑えることができる。
【００２９】
次に、図２を用いて上記条件（３）について説明する。ロギング動作２１６の直前のロギング周期において、周辺セル測定２１５でキャリア２上のセル品質測定を行っている。しかしながら、キャリア２はセル品質記録要求を受けたＰＬＭＮとは異なるＰＬＭＮに所属すると判定されるため、ロギング動作２１６の時点ではロギング制御部１０４は周辺セル品質をログメモリ１０９に記録させない。これにより、セル品質記録要求を受けたＰＬＭＮが所有するキャリア上のセル品質を格納しないため、ログサイズを抑えることができる。
【００３０】
このように、本実施の形態によれば、在圏セルのセル品質を一定周期で記録するロギングを行う際、周辺セルのセル品質についても、前回のロギングから新たに測定されたセル品質のみを記録することにより、周辺セルのセル品質を漏れなく記録するとともに、記録するセル品質の情報量を低減することができる。
【産業上の利用可能性】
【００３１】
本発明にかかる無線通信端末装置及び無線品質記録方法は、ＵＭＴＳやＬＴＥなどの移動通信システムに適用できる。
【符号の説明】
【００３２】
１０１  アンテナ
１０２  測定部
１０３  送受信部
１０４  ロギング制御部
１０５  セル品質格納部
１０６  セル品質判定部
１０７  キャリア判定部
１０８  タイマー
１０９  ログメモリ
１１０  キャリア−ＰＬＭＮ関係格納部
【図１】
2012147170.tif 000003
【図２】
2012147170.tif 000004